(57)【要約】【課題】テレビジョン放送番組のサムネイル画を、ユーザに負担をかけることなく、簡単に記録することができるようにする。【解決手段】ホストマイクロコンピュータ２３は、装置の動作状況として、動作モードを検出し、映像信号の記録中であれば、サムネイル画記録の処理を開始する。画像サイズ成形部１４は、映像信号の画像のサイズを縮小、または拡大する。キャプチャ部１５は、ホストマイクロコンピュータ２３により指定されたフレームの画像をサムネイル画として取得する。読み出し書き込み部１８は、ＪＰＥＧエンコーダ３１により圧縮されたサムネイル画像を光磁気ディスク１７に記録する。本発明は、光磁気ディスク記録再生装置に適用することができる。【選択図】　　　図１
2004015610.tif 000002
【特許請求の範囲】
【請求項１】
テレビジョン放送信号を情報記録媒体に記録する記録装置において、
前記記録装置の動作状況を検出する検出手段と、
前記検出手段により検出された前記動作状況に基づいてサムネイル画を生成する生成手段と、
前記生成手段が生成した前記サムネイル画を、前記情報記録媒体に記録する記録手段と
を備えることを特徴とする記録装置。
【請求項２】
前記検出手段は、前記動作状況として、映像信号の記録中であることを検出する
ことを特徴とする請求項１に記載の記録装置。
【請求項３】
前記検出手段は、前記動作状況として、前記映像信号の再生中であることを検出する
ことを特徴とする請求項１に記載の記録装置。
【請求項４】
前記検出手段は、前記動作状況として、前記情報記録媒体へのアクセスを行っていないことを検出する
ことを特徴とする請求項１に記載の記録装置。
【請求項５】
前記検出手段は、前記動作状況として、特定の時間帯に前記情報記録媒体へのアクセスを行っていないことを検出する
ことを特徴とする請求項１に記載の記録装置。
【請求項６】
前記検出手段は、前記動作状況として、ユーザが前記記録装置を使用していない状況であることを検出する
ことを特徴とする請求項１に記載の記録装置。
【請求項７】
テレビジョン放送信号を情報記録媒体に記録する記録装置の記録方法において、
前記記録装置の動作状況を検出する検出ステップと、
前記検出ステップの処理により検出された前記動作状況に基づいてサムネイル画を生成する生成ステップと、
前記生成ステップの処理により生成された前記サムネイル画を、前記情報記録媒体に記録する記録ステップと
を含むことを特徴とする記録方法。
【請求項８】
テレビジョン放送信号を情報記録媒体に記録する記録装置の制御用のプログラムであって、
前記記録装置の動作状況を検出する検出ステップと、
前記検出ステップの処理により検出された前記動作状況に基づいてサムネイル画を生成する生成ステップと、
前記生成ステップの処理により生成された前記サムネイル画を、前記情報記録媒体に記録する記録ステップと
を含むことを特徴とするコンピュータが読み取り可能なプログラムが記録されている記録媒体。
【請求項９】
テレビジョン放送信号を情報記録媒体に記録する記録装置を制御するコンピュータに、
前記記録装置の動作状況を検出する検出ステップと、
前記検出ステップの処理により検出された前記動作状況に基づいてサムネイル画を生成する生成ステップと、
前記生成ステップの処理により生成された前記サムネイル画を、前記情報記録媒体に記録する記録ステップと
を含む処理を実行させることを特徴とするプログラム。
【発明の詳細な説明】
【０００１】
【発明の属する技術分野】
本発明は、記録装置および方法、記録媒体、並びにプログラムに関し、特に、テレビジョン放送信号のサムネイル画を簡単に記録することができるようにした記録装置および方法、記録媒体、並びにプログラムに関する。
【０００２】
【従来の技術】
近年、光ディスクの大容量化、低価格化、並びに動画像信号および音声信号（以下、ＡＶ信号と記載する）を圧縮符号化する処理の高速化が進み、これらの技術を用いて、テレビジョン番組のＡＶ信号を圧縮符号化して録画し、また再生する記録再生装置が開発されるようになってきた。
【０００３】
このような記録再生装置によれば、大容量の光ディスクに複数の、あるいは１つでも、長時間のテレビジョン番組のＡＶ信号を記録することが可能となるので、記録された複数または長時間の番組のＡＶ信号の所定の位置（フレーム）に、ユーザが容易にアクセスできるように、映像信号のうちの所定のフレームの画像をサムネイル画として抽出して、光ディスクに記録する機能を持たせるようにすることが望ましい。
【０００４】
例えば、番組毎にサムネイル画を作成し、表示する機能を持つ記録再生装置の場合、番組毎に決められた枚数のサムネイル画を記録することにより、そのサムネイル画を用いて記録された番組の一覧や番組毎の内容一覧（サムネイル画の一覧）を表示させることができる。
【０００５】
サムネイル画を作成する場合、ユーザがサムネイル画作成用のアプリケーションを起動しサムネイル画を作成するための規則の設定を行い、放送番組を受信中にそのアプリケーションにより、予め設定された所定のフレームの画像をサムネイル画として光ディスクに記録させるようにするのが一般的である。その他に、光ディスクを記録再生装置から排出する時や、記録再生装置の電源を切る時にサムネイル画を作成するようにすることも知られている。
【０００６】
【発明が解決しようとする課題】
しかしながら、サムネイル画を作成するために、専用アプリケーションをユーザが呼び出すのはかなり面倒な作業である。また、光ディスクを記録再生装置から排出する時や、記録再生装置の電源を切る時にサムネイル画を作成するのでは、光ディスクの排出や、記録再生装置の電源の切断に時間がかかり、ユーザの使い勝手が悪くなる課題があった。
【０００７】
本発明はこのような状況に鑑みてなされたものであり、ユーザに負担をかけることなくサムネイル画を簡単に記録できるようにすることを目的とする。
【０００８】
【課題を解決するための手段】
本発明の記録装置は、記録装置の動作状況を検出する検出手段と、検出手段により検出された動作状況に基づいてサムネイル画を生成する生成手段と、生成手段が生成したサムネイル画を、情報記録媒体に記録する記録手段とを備えることを特徴とする。
【０００９】
前記検出手段には、動作状況として、映像信号の記録中であることを検出させるようにすることができる。
【００１０】
前記検出手段には、動作状況として、映像信号の再生中であることを検出させるようにすることができる。
【００１１】
前記検出手段には、動作状況として、情報記録媒体へのアクセスを行っていないことを検出させるようにすることができる。
【００１２】
前記検出手段には、動作状況として、特定の時間帯に前記情報記録媒体へのアクセスを行っていないことを検出させるようにすることができる。
【００１３】
前記検出手段には、動作状況として、ユーザが記録装置を使用していない状況であることを検出させるようにすることができる。
【００１４】
本発明の記録方法は、記録装置の動作状況を検出する検出ステップと、検出ステップの処理により検出された動作状況に基づいてサムネイル画を生成する生成ステップと、生成ステップの処理により生成されたサムネイル画を、情報記録媒体に記録する記録ステップとを含むことを特徴とする。
【００１５】
本発明の記録媒体のプログラムは、記録装置の動作状況を検出する検出ステップと、検出ステップの処理により検出された動作状況に基づいてサムネイル画を生成する生成ステップと、生成ステップの処理により生成されたサムネイル画を、情報記録媒体に記録する記録ステップとを含むことを特徴とする。
【００１６】
本発明のプログラムは、記録装置の動作状況を検出する検出ステップと、検出ステップの処理により検出された動作状況に基づいてサムネイル画を生成する生成ステップと、生成ステップの処理により生成されたサムネイル画を、情報記録媒体に記録する記録ステップとをコンピュータに実行させることを特徴とする。
【００１７】
本発明の記録装置および方法、記録媒体、並びにプログラムにおいては、記録装置の動作状況が検出され、検出された動作状況に基づいて、サムネイル画が生成され、情報記録媒体に記録される。
【００１８】
【発明の実施の形態】
本発明の一実施の形態である光磁気ディスク記録再生装置１の構成例について、図１を参照して説明する。この光磁気ディスク記録再生装置１は、映像信号を代表する静止画像としてサムネイル画を作成し、記録する機能を有している。
【００１９】
ＢＳ（Ｂｒｏａｄｃａｓｔ　Ｓａｔｅｌｌｉｔｅ）チューナ１１は、日本において行われているＢＳデジタル放送の電波を受信し、受信信号をデマルチプレクサ１２に出力する。また、ＢＳチューナ１１は、テレビジョン番組に対応するＥＰＧ（Ｅｌｅｃｔｒｏｎｉｃ　Ｐｒｏｇｒａｍ　Ｇｕｉｄｅ）情報も受信してホストマイクロコンピュータは２３に供給する。
【００２０】
デマルチプレクサ１２は受信信号を映像信号と音声信号に分離し、映像信号をＭＰＥＧ（Ｍｏｖｉｎｇ　Ｐｉｃｔｕｒｅ　Ｅｘｐｅｒｔｓ　Ｇｒｏｕｐ）デコーダ１３に出力する。ＭＰＥＧデコーダ１３は、ＭＰＥＧ方式で映像信号をデコードし、画像サイズ成形部１４に出力する。
【００２１】
ホストマイクロコンピュータ２３は、画像サイズ成形部１４、キャプチャ部１５、メモリ１９、読み出し書き込み部１８を制御する。スイッチ、ボタン等により構成される入力部２２は、ユーザにより操作されたとき、操作に対応する信号をホストマイクロコンピュータ２３に供給する。
【００２２】
画像サイズ成形部１４は、映像信号に基づく画像のサイズを縮小または拡大し、キャプチャ部１５に出力する。キャプチャ部１５は、画像サイズ成形部１４より、リアルタイムに供給される動画像の映像信号から、サムネイル画とすべき所定のフレームの画像データを取り込み、メモリ１９に出力し、記憶させる。ＪＰＥＧ（Ｊｏｉｎｔ　Ｐｈｏｔｏｇｒａｐｈｉｃ　Ｅｘｐｅｒｔｓ　Ｇｒｏｕｐ）処理部１６は、メモリ１９に記憶された画像データをＪＰＥＧ方式で圧縮するＪＰＥＧエンコーダ３１と、復号するＪＰＥＧデコーダ３２とから構成される。
【００２３】
読み出し書き込み部１８は、ＢＳチューナ１１から供給されたＭＰＥＧ−ＴＳ（Ｔｒａｎｓｐｏｒｔ　Ｓｔｒｅａｍ）信号、または、メモリ１９から入力されたサムネイルの画像データを光磁気ディスク１７に記録する。読み出し書き込み部１８はまた、光磁気ディスク１７に記録されたＭＰＥＧ−ＴＳ信号を読み出し、デマルチプレクサ１２に出力するとともに、サムネイルの画像データを読み出しメモリ１９に出力する。
【００２４】
Ｄ／Ａコンバータ２０は、ＭＰＥＧデコーダ１３またはＪＰＥＧデコーダ３２より供給される映像信号をＤ／Ａ変換し、Ｄ端子出力部２１に出力する。Ｄ端子出力部２１は映像信号に対応する映像を図示せぬディスプレイ等に出力する。
【００２５】
この光磁気ディスク記録再生装置１において、ＣＰＵ（Ｃｅｎｔｒａｌ　Ｐｒｏｃｅｓｓｉｎｇ　Ｕｎｉｔ）、ＲＡＭ（Ｒａｎｄｏｍ　Ａｃｃｅｓｓ　Ｍｅｍｏｒｙ）、ＲＯＭ（Ｒｅａｄ　Ｏｎｌｙ　Ｍｅｍｏｒｙ）等から成るホストマイクロコンピュータ２３は、必要に応じて接続されるドライブ２４を制御して、磁気ディスク４１、光ディスク４２、光磁気ディスク４３、または半導体メモリ４４に記憶されている制御用プログラムを読み出し、光磁気ディスク記録再生装置１の全体の動作を制御する。
【００２６】
次に、図２のフローチャートを参照して、サムネイル画の記録処理について説明する。この処理は、例えば、一定の周期毎に実行される。
【００２７】
ホストマイクロコンピュータ２３は、ステップＳ１１において、光磁気ディスク記録再生装置１の動作状況を検出し、ステップＳ１２において、その動作状況が、予めユーザにより設定されている条件を満足するか否かを判定する。例えば、映像信号を光ディスク１７に記録している最中にサムネイル画を作成、記録することを指示している場合、ステップＳ１１で動作モードが検出され、ステップＳ１２で、その動作モードが、記録中であるか否かが判定される。
【００２８】
動作状況と条件には、この他、光磁気ディスク記録再生装置１の動作モードが、再生中であるか、光磁気ディスク１７へのアクセスを行っていない状態であるか、現在時刻が特定の時間帯（例えば、午後１１時から午前６時までの深夜時間帯）であり、かつ、動作モードが、光磁気ディスク１７へのアクセスを行っていない状態であるか、または、動作モードが、ユーザが光磁気ディスク記録再生装置１を使用していない（例えば、装置の電源がオフになっている）状態であることを検出し、判定することができる。
【００２９】
これらの条件が満足されたと判定された場合、サムネイル画記録処理が開始される。光磁気ディスク記録再生装置１の動作モードが記録中である場合、デマルチプレクサ１２には、ＢＳチューナ１１よりＭＰＥＧ−ＴＳ信号が供給される。デマルチプレクサ１２は、映像信号と音声信号を分離させる。音声信号は図示せぬ処理部により処理され、出力される。デマルチプレクサ１２により分離、抽出された映像信号は、ＭＰＥＧデコーダ１３に入力される。
【００３０】
ステップＳ１２において、条件が満足されたと判定された場合、ステップＳ１３において、ＭＰＥＧデコーダ１３は、入力された映像信号をＭＰＥＧ方式でデコードする。デコードされた映像信号はＤ／Ａコンバータ２０に供給され、Ｄ／Ａ変換された後、Ｄ端子出力部２１から出力される。
【００３１】
また、ＭＰＥＧデコーダ１３によりデコードされた映像信号は画像サイズ成形部１４にも供給される。
【００３２】
ステップＳ１４において、画像サイズ成形部１４は、ＭＰＥＧデコーダ１３より出力された映像信号の画像のサイズを、サムネイル画のサイズに拡大もしくは縮小する。その詳細は図４のフローチャートを参照して後述する。
【００３３】
ステップＳ１５において、キャプチャ部１５は、サムネイル画として選択されたフレームの映像信号を取得し、メモリ１９に出力し、記憶させる。
【００３４】
ステップＳ１６において、ＪＰＥＧエンコーダ３１は、メモリ１９に記憶された映像信号（画像データ）をＪＰＥＧ方式でエンコードし、再びメモリ１９に記憶させる。
【００３５】
ステップＳ１７において、読み出し書き込み部１８は、サムネイル画としてエンコードされた画像データをメモリ１９より取り込み、光磁気ディスク１７の最内周のシステム管理領域に記録する。このシステム管理領域は、データトラックとは異なる領域に形成されており、サムネイルデータの他、番組情報、セクタ位置、トラック位置などのファイルシステムが記録される。
【００３６】
次に、画像サイズ成形部１４により行われる、ステップＳ１３の画像のサイズの成形処理の詳細を、図４のフローチャートを参照して説明する。
【００３７】
この処理を行う画像サイズ成形部１４は、例えば図３に示されるように構成される。すなわち、入力部６１は、ＭＰＥＧデコーダ１３が出力する映像信号を取り込む。色変換マトリクス部６２は、入力部６１より映像信号を取り込み、映像信号の信号形式に応じて色変換処理を行い、縮小フィルタ６３に出力する。縮小フィルタ６３は、入力信号と出力信号のフォーマットに応じて画像のサイズの縮小を行う。
【００３８】
メモリコントローラ６４は、画像データを縮小フィルタ６３より取り込み、メモリ６５に出力し、記憶させるとともに、メモリ６５に記憶された画像データを読み出し、拡大フィルタ６６に出力する。拡大フィルタ６６は、メモリコントローラ６４より画像データを取り込み、入力信号と出力信号のフォーマットに応じて画像のサイズの拡大を行い、キャプチャ部１５に出力する。色変換マトリクス部６２、縮小フィルタ６３、および拡大フィルタ６６は、ホストマイクロコンピュータ２３により制御される。
【００３９】
図４のステップＳ２１において、入力部６１は、ＭＰＥＧデコーダ１３より出力された映像信号を取り込み、色変換マトリクス部６２に供給する。
【００４０】
ステップＳ２２において、ホストマイクロコンピュータ２３は、ＭＰＥＧ−ＴＳ信号からヘッダ情報を読み込み、その信号（入力信号）の形式を認識し、入力フォーマットの判別を行う。また、ホストマイクロコンピュータ２３は、入力部２２からの入力に基づいて、ユーザから指定された出力信号のフォーマット（出力フォーマット）を判別する。入力フォーマットと出力フォーマットとしては、図５に示されるように、５２５ｉ、５２５ｐ、１１２５ｉ、７５０ｐの各パターンが存在する。これらの値の数字は走査線の数を表し、ｐはプログレシブ（線順次）形式であることを表し、ｉはインターレス（飛び越し走査）の形式であることを表わしている。
【００４１】
ステップＳ２３において、色変換マトリクス部６２は、ホストマイクロコンピュータ２３の制御に基づいて色変換処理を行う。信号形式が５２５ｉと５２５ｐの場合はＣＣＩＲ（国際無線通信顧問委員会）−ＲＥＣ６０１に、信号形式が１１２５ｉと７５０ｐの場合はＣＣＩＲ−ＲＥＣ７０９に、それぞれカラメトリのマトリクスが規定されている。すなわち、ＣＣＩＲ−ＲＥＣ６０１には、式（１）で表わされるように、３原色の（Ｒ，Ｇ，Ｂ）信号に乗算して（Ｙ，Ｒ−Ｙ，Ｂ−Ｙ）の輝度信号と色差信号を得るためのマトリックスＭ６０１が規定されており、ＣＣＩＲ−ＲＥＣ７０９には、式（２）で表わされるように、やはり、３原色の（Ｒ，Ｇ，Ｂ）信号に乗算して（Ｙ，Ｒ−Ｙ，Ｂ−Ｙ）の輝度信号と色差信号を得るためのマトリックスＭ７０９が規定されている。
【数１】
2004015610.tif 000003
【数２】
2004015610.tif 000004
【００４２】
そこで、色変換マトリクス部６２は、入力フォーマットがＣＣＩＲ−ＲＥＣ６０１であり、出力フォーマットがＣＣＩＲ−ＲＥＣ７０９である場合、式（３）に基づく変換を行う。また、色変換マトリクス部６２は、入力フォーマットがＣＣＩＲ−ＲＥＣ７０９であり、出力フォーマットがＣＣＩＲ−ＲＥＣ６０１である場合、式（４）に基づく変換を行う。
【数３】
2004015610.tif 000005
【数４】
2004015610.tif 000006
【００４３】
式（３）のマトリクスＭ６０１，７０９は、マトリクスＭ６０１の逆マトリクスに、マトリクスＭ７０９を乗算して得たマトリクスであり、式（４）のマトリクスＭ７０９，６０１はマトリクスＭ７０９の逆マトリクスに、マトリクスＭ６０１を乗算して得たマトリクスである。式（３）と式（４）では、入力された輝度信号と色差信号（ＹＩ，ＲＩ−ＴＩ，ＢＩ−ＹＩ）にマトリクスＭ６０１，７０９またはＭ７０９，６０１を乗算することで、輝度信号と色差信号（ＹＯ，ＲＯ−ＹＯ，ＢＯ−ＹＯ）が演算される。
【００４４】
以上の変換の処理が図５にまとめて示されている。例えば、同図に示されるように、入力フォーマットが５２５ｉの信号形式の信号を、出力フォーマット１１２５ｉの信号形式の信号に変換するときは、式（３）に基づく変換処理が行われる。また、入力フォーマットが５２５ｉの信号形式の信号を、出力フォーマット５２５ｐの信号形式の信号に変換するときは、変換処理は行われない。
【００４５】
ステップＳ２４おいて、縮小フィルタ６３、または、拡大フィルタ６６は、ホストマイクロコンピュータ２３からのレジスタ設定に基づいて、入力信号と出力信号に応じた縮小、または、拡大処理を行う。
【００４６】
信号形式が１１２５ｉの信号の画像を縮小する場合の処理の原理を図６と図７に示す。この例では、図６に示されるように２２００×１１２５画素の入力信号から、水平方向の左から１９２画素、垂直方向の上から２０画素のブランキング領域Ｒ１を除く、水平方向１９２０×垂直方向１０８０の画素の有効画像領域Ｒ２が切り出される。縮小フィルタ６３は、この切り出した有効画像領域Ｒ２の画素データを、例えば、図７に示されるように、４１６×２４０画素のサイズのデータに縮小する。この縮小画素データは、メモリコントローラ６４により、メモリ６５に供給され、有効画像領域Ｒ２の所定の位置に配置されるように記憶される。
【００４７】
ステップＳ２５おいて、メモリコントローラ６４は、メモリ６５に書き込まれた縮小画像データを読み出し、拡大フィルタ６６を介して出力させる。
【００４８】
画像を縮小する場合、縮小フィルタ６３のみ機能し、拡大フィルタ６６はスルー状態になる。これに対して、サムネイル画像を生成するのに、入力画像を拡大する必要がある場合は、縮小フィルタ６３はスルー状態とされ、メモリに書き込まれた画像データが、拡大フィルタ６６により拡大され、出力される。
【００４９】
光磁気ディスク記録再生装置１が、ＢＳチューナ１１で受信したＭＰＥＧ−ＴＳ信号のストリームを光磁気ディスク１７に記録するとき、サムネイル画を記録する際のパスを図８に示す。図８において、ＭＰＥＧ−ＴＳ信号のストリームの記録のパス１０１は、図中の点線で表わされ、信号は、ＢＳチューナ１１、読み出し書き込み部１８を経て、光磁気ディスク１７に供給される。また、サムネイル画の記録のパス１０２は、図中の太線で表わされ、信号は、ＢＳチューナ１１、デマルチプレクサ１２、ＭＰＥＧデコーダ１３、画像サイズ成形部１４、キャプチャ部１５、メモリ１９、ＪＰＥＧエンコーダ３１、メモリ１９、読み出し書き込み部１８を経て、光磁気ディスク１７に供給される。
【００５０】
光磁気ディスク記録再生装置１が、光磁気ディスク１７より映像信号のストリームの再生を行うときに、サムネイル画を記録する際のパスを図９に示す。図９において、映像信号のストリームの再生のパス１１１は、図中の点線で表わされ、光磁気ディスク１７より再生された信号は、読み出し書き込み部１８、デマルチプレクサ１２、ＭＰＥＧデコーダ１３、Ｄ／Ａコンバータ２０を経て、Ｄ端子出力部２１に供給される。すなわち、これにより、光磁気ディスク１７に記録されているＭＰＥＧ−ＴＳ信号の画像が、再生、出力される。
【００５１】
また、サムネイル画の記録のパス１１２は、図中の太線で表わされ、光磁気ディスク１７により再生され、読み出し書き込み部１８、デマルチプレクサ１２、およびＭＰＥＧデコーダ１３に供給された信号の一部が、画像サイズ成形部１４、キャプチャ部１５、メモリ１９、ＪＰＥＧエンコーダ３１、メモリ１９、および読み出し書き込み部１８を経て、光磁気ディスク１７に供給される。すなわち、これにより、光磁気ディスク１７より再生されたＭＰＥＧ−ＴＳ信号の画像のうちの、所定のフレームの画像が、サムネイル画として光磁気ディスク１７に記録される。
【００５２】
光磁気ディスク記録再生装置１において、光磁気ディスク１７へのアクセスが行われていない時に、サムネイル画を記録する際のパスは、映像信号のストリームの再生時のパスと同じであり、図９に示されるように、パス１１２となる。
【００５３】
光磁気ディスク記録再生装置１において、特定の時間帯（例えば深夜など、ユーザが記録再生装置１を使用していないと思われる時間帯）で、かつ光磁気ディスク１７へのアクセスが行われていない時に、サムネイル画を記録する際のパスも、映像信号のストリームの再生時のパスと同じであり、図９に示されるように、パス１１２となる。
【００５４】
光磁気ディスク記録再生装置１において、ユーザが明らかに光磁気ディスク記録再生装置１を使用していないと、ホストマイクロコンピュータ２３が認識した時に、サムネイル画を記録する際のパスも、映像信号のストリームの再生時のパスと同じであり、図９に示されるように、パス１１２となる。ここで、ユーザが明らかに光磁気ディスク記録再生装置１を使用していないという状態は、例えば、光磁気ディスク記録再生装置１の電源スイッチがオンされていない場合や、予約録画等が行われていない場合という、装置特有の条件にあてはまる状態である。
【００５５】
このように、装置の使用状況に応じて、サムネイル画を作成するようにすることで、ユーザに負担をかけることなく、映像信号から簡単にサムネイル画を作成し、記録媒体に記録することができる。
【００５６】
以上のようにして、ＭＰＥＧ−ＴＳ信号とサムネイル画像が光磁気ディスク１７に記録された後、ユーザが入力部２２を操作して、光磁気ディスク１７の再生を指令すると、ホストマイクロコンピュータ２３は、読み出し書き込み部１８を制御して、光磁気ディスク１７に記録されているＭＰＥＧ−ＴＳ信号に対応するサムネイル画を読み出させる。このサムネイル画は、メモリ１９に入力され、ＪＰＥＧデコーダ３２によりデコードされ、Ｄ／Ａコンバータ２０によりＤ／Ａ変換された後、Ｄ端子出力部２１から、図示せぬディスプレイに出力され、表示される。このようにして、光磁気ディスク１７に記録されている複数のＭＰＥＧ−ＴＳ信号のそれぞれに対応する複数のサムネイル画の一覧が表示される。
【００５７】
ユーザは、この表示を見て、入力部２２を操作して、複数のサムネイル画の中から、再生すべき対象としてのサムネイル画を選択する。ホストマイクロコンピュータ２３は、読み出し書き込み部１８を制御し、ユーザにより選択されたサムネイル画に対応するＭＰＥＧ−ＴＳ信号を光磁気ディスク１７から読み出させる。このＭＰＥＧ−ＴＳ信号は、デマルチプレクサ１２に供給され、映像信号と音声信号に分離される。音声信号は図示せぬ処理部により処理され、図示せぬスピーカなどに出力される。
【００５８】
映像信号は、ＭＰＥＧデコーダ１３によりデコードされ、Ｄ／Ａコンバータ２０によりＤ／Ａ変換された後、Ｄ端子出力部２１から、図示せぬディスプレイに出力され、表示される。
【００５９】
以上、本発明を、光磁気ディスク記録再生装置に適用した場合を例として説明したが、本発明は、テレビジョン番組を録画再生するＶＣＲ（ビデオカセットレコーダ）、テレビジョン番組を録画再生する機能を有するパーソナルコンピュータ等、各種の情報記録媒体に情報を記録し、さらに必要に応じて再生する機能を有する装置に適用することが可能である。情報記録媒体は、光磁気ディスクの他、ＣＤ−Ｒ（Ｃｏｍｐａｃｔ　Ｄｉｓｃ−Ｒｅｃｏｒｄａｂｌｅ）、ＣＤ−ＲＷ（Ｃｏｍｐａｃｔ　Ｄｉｓｃ−ＲｅＷｒｉｔａｂｌｅ）、ハードディスク、ＤＶＤ（Ｄｉｇｉｔａｌ　Ｖｅｒｓａｔｉｌｅ　Ｄｉｓｃ）、フラッシュメモリ等を用いることができる。
【００６０】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記憶媒体からインストールされる。
【００６１】
この記録媒体は、図１に示されるように、コンピュータとは別に、ユーザにプログラムを提供するために配布される、プログラムが記録されている磁気ディスク４１（フロッピディスクを含む）、光ディスク４２（ＣＤ−ＲＯＭ（Ｃｏｍｐａｃｔ　Ｄｉｓｃ−Ｒｅａｄ　Ｏｎｌｙ　Ｍｅｍｏｒｙ）、ＤＶＤを含む）、光磁気ディスク４３（ＭＤ（Ｍｉｎｉ　Ｄｉｓｃ））、もしくは半導体メモリ４４などによりなるパッケージメディアにより構成されるだけでなく、コンピュータに予め組み込まれた状態でユーザに提供される、プログラムが記録されているＲＯＭやハードディスクなどで構成される。
【００６２】
また、以上においては、テレビジョン放送は、日本において行われているＢＳデジタル放送としたが、ＣＳ（Ｃｏｍｍｕｎｉｃａｔｉｏｎｓ　Ｓａｔｅｌｌｉｔｅ）放送、地上波放送、ケーブルテレビジョン放送、インターネットを介して配信される放送等でもよい。
【００６３】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００６４】
【発明の効果】
以上のように、本発明の記録装置および方法、記録媒体、並びにプログラムによれば、映像信号から、サムネイル画を作成し、記録することができる。特に、ユーザに負担をかけることなく、映像信号から簡単にサムネイル画を作成し、記録媒体に記録することが可能となる。
【図面の簡単な説明】
【図１】本発明を適用した光磁気ディスク記録再生装置の構成を示すブロック図である。
【図２】図１の光磁気ディスク記録再生装置のサムネイル画記録処理を説明するフローチャートである。
【図３】図１の画像サイズ成形部の内部の構成を示すブロック図である。
【図４】画像サイズの成形の処理を説明するフローチャートである。
【図５】映像信号の入力フォーマットと出力フォーマットにより規定される変換処理を説明する図である。
【図６】画像サイズ成形部が処理する縮小前の画像の例を示す図である。
【図７】画像サイズ成形部が処理した縮小後の画像の例を示す図である。
【図８】ストリーム記録中のサムネイル作成パスを示す図である。
【図９】ストリーム再生中のサムネイル作成パスを示す図である。
【符号の説明】
１　光磁気ディスク記録再生装置，　１４　画像サイズ成形部，　１５　キャプチャ部，　１７　光磁気ディスク，　１８　読み出し書き出し部，　２２　入力部，　２３　ホストマイクロコンピュータ
【図１】
2004015610.tif 000007
【図２】
2004015610.tif 000008
【図３】
2004015610.tif 000009
【図４】
2004015610.tif 000010
【図５】
2004015610.tif 000011
【図６】
2004015610.tif 000012
【図７】
2004015610.tif 000013
【図８】
2004015610.tif 000014
【図９】
2004015610.tif 000015